(57)【要約】  【課題】      階下への衝撃音の伝搬を軽減できる木質繊維板、該木質繊維板を用いた床構造、および該床構造の施工方法を提供する。  【解決手段】  木質繊維板14の上面または下面の少なくとも何れか一方に弾性接着剤20aを点状または線状に塗布し、弾性接着剤20aを硬化させて点状または線状の粘弾性体20を形成し、然る後、床下地材12と化粧仕上材16との間に前記木質繊維板14を配置する。  これにより、木質繊維板14と床下地材12及び／又は化粧仕上材16との間には、粘弾性体20の厚み分だけ隙間（空気層22）が形成されることになる。【選択図】      図２
2006035556.tif 000002
【特許請求の範囲】
【請求項１】
床下地材と、表面側を化粧面とした化粧仕上材との間に介装される木質繊維板において、
前記木質繊維板の上面又は下面の少なくとも何れか一方には、点状または線状に形成された粘弾性体が固着されていることを特徴とする木質繊維板。
【請求項２】
床下地材と、表面側を化粧面とした化粧仕上材と、前記床下地材と前記化粧仕上材との間に介装される木質繊維板とからなる床構造において、
前記木質繊維板が請求項１に記載の木質繊維板であることを特徴とする床構造。
【請求項３】
木質繊維板の上面または下面の少なくとも何れか一方に弾性接着剤を点状または線状に塗布し、
前記弾性接着剤を硬化させて点状または線状の粘弾性体を形成し、然る後、
床下地材と化粧仕上材との間に前記木質繊維板を配置する床構造の施工方法。
【発明の詳細な説明】
【技術分野】
【０００１】
本発明は、防音性に優れた木質繊維板、該木質繊維板を用いた床構造、および該床構造の施工方法に関する。
【背景技術】
【０００２】
一般に、建物の「床構造」は、根太と呼ばれる「床下地」の上に合板などの「床下地材」が捨て張りされており、この「床下地材」の上にフローリングなどの「化粧仕上材」が貼設された構造となっている。
【０００３】
そして、従来では、床構造(1)の防音性、断熱性、クッション性を高めるために、図４に示すように、床下地材(2)と化粧仕上材(3)との間に木質繊維板(4)を介装させていた（例えば、非特許文献１参照。）。
【非特許文献１】「大建工業株式会社  住まいづくりの総合カタログ  床・壁・天井２００４／２００５」、大建工業株式会社、２００４年６月、ｐ．３３２
【発明の開示】
【発明が解決しようとする課題】
【０００４】
木質繊維板(4)は、上述したように床構造(1)の防音性を高めるために設けられるものではあるが、従来の床構造(1)では、木質繊維板(4)が床下地材(2)および化粧仕上材(3)と接着剤や釘等によって互いに固着されており、振動によって音が伝達しやすい構造となっていた。即ち、床（化粧仕上材(3)）の上に食器などの軽量物が落下すると、特に集合住宅等においては、そのときの衝撃音（軽量床衝撃音）が木質繊維板(4)、床下地材(2)、床下地(5)を伝搬して階下に響くという問題があった。
【０００５】
それゆえに、本発明の目的は、衝撃音の階下への伝搬を軽減できる木質繊維板、該木質繊維板を用いた床構造、および該床構造の施工方法を提供することにある。
【課題を解決するための手段】
【０００６】
請求項１に記載の発明は、「床下地材(12)と、表面側を化粧面とした化粧仕上材(16)との間に介装される木質繊維板(14)において、木質繊維板(14)の上面又は下面の少なくとも何れか一方には、点状または線状に形成された粘弾性体(20)が固着されていることを特徴とする木質繊維板(14)」である。
【０００７】
本発明に係る木質繊維板(14)を床下地材(12)と化粧仕上材(16)との間に配設すると、木質繊維板(14)と床下地材(12)又は／および化粧仕上材(16)との間には、粘弾性体(20)が介在することになり、この粘弾性体(20)が衝撃音を低減することができる。
【０００８】
請求項２に記載の発明は、「床下地材(12)と、表面側を化粧面とした化粧仕上材(16)と、床下地材(12)と化粧仕上材(16)との間に介装される木質繊維板(14)とからなる床構造(10)において、木質繊維板(14)が請求項１に記載の木質繊維板(14)であることを特徴とする床構造(10)」である。
【０００９】
本発明では、木質繊維板(14)の表面側又は裏面側の少なくともいずれか一方に、点状または線状に形成された粘弾性体(20)が固着されており、この粘弾性体(20)が前記衝撃音を低減する。なお、粘弾性体(20)の存在により、木質繊維板(14)と化粧仕上材(16)及び／又は木質繊維板(14)と床下地材(12)との間には、空気層(22)が形成されることになる。
【００１０】
請求項３に記載の発明は、「木質繊維板(14)の上面または下面の少なくとも何れか一方に弾性接着剤(20a)を点状または線状に塗布し、弾性接着剤(20a)を硬化させて点状または線状の粘弾性体(20)を形成し、然る後、床下地材(12)と化粧仕上材(16)との間に前記木質繊維板(14)を配置する床構造(10)の施工方法」である。
【００１１】
本発明では、木質繊維板(14)の表面または裏面の少なくとも何れか一方に点状または線状に塗布した弾性接着剤(20a)が硬化し、粘弾性体(20)が形成された時点で木質繊維板(14)を床下地材(12)と化粧仕上材(16)との間に配置するようにしているので、木質繊維板(14)と床下地材(12)及び／又は化粧仕上材(16)との間には、粘弾性体(20)の厚み分だけ隙間（空気層(22)）が形成されることになる。
【発明の効果】
【００１２】
請求項１〜３に記載の発明によれば、化粧仕上材の上に物が落下したときの衝撃音を粘弾性体が低減できるので、階下への衝撃音（特に軽量床衝撃音）の伝搬を低減できる。
【００１３】
また、木質繊維板と床下地材及び／又は化粧仕上材との間には空気層が形成されているので、この空気層の存在により床構造のクッション性や断熱性を高めることができる。
【発明を実施するための最良の形態】
【００１４】
以下、本発明を図示実施例に従って詳述する。本発明の適用された床構造(10)は、図１〜２に示すように、床下地材(12)、木質繊維板(14)、および化粧仕上材(16)により大略構成されている。
【００１５】
床下地材(12)は、床構造(10)の基礎となる板材であり、床下地(18)の上面に釘や接着剤等により固定されている。床下地材(12)の具体例としては、例えば合板、パーティクルボード、火山性ガラス質複層板（商品名：ダイライト  大建工業株式会社製）等がその一例として挙げられる。そして、床下地材(12)の上面には、木質繊維板(14)が配設されている。
【００１６】
木質繊維板(14)は、床構造(10)の防音性や断熱性を高めたり、或いはクッション性を高めるために床下地材(12)と化粧仕上材(16)との間に介装されるものであり、当該分野で公知のもの、好ましくはＩＢ（インシュレーションボード）が使用される。なお、木質繊維板(14)は、床下地材(12)の上面に釘や接着剤等により固定されており、両部材(12)(14)が密着した状態となっている。
【００１７】
木質繊維板(14)の上面には、複数の粘弾性体(20)が床下地(18)に平行または直交して固着されている。
【００１８】
各粘弾性体(20)は、木質繊維板(14)に対して化粧仕上材(16)を隙間（空気層(20)）を設けた状態で取り付けるものであり、弾性接着剤(20a)を木質繊維板(14)の上面に線状（勿論、点状であってもよい。）に塗着し、これを硬化させることによって形成される。
【００１９】
ここで、弾性接着剤(20a)の材質としては、その硬化時において（即ち、粘弾性体(20)の状態において）ある程度の粘性と弾性とを備えていることが必要であり、例えば、合成ゴム系、ウレタン系、酢酸ビニル系、アクリル系、変形シリコーン系等の樹脂が好適に用いられる。
【００２０】
また、弾性接着剤(20a)の塗布厚は、空気層(22)が１ｍｍ程度の厚みを確保できるよう、化粧仕上材(16)の重量や粘弾性体(20)の変形量等を考慮して適宜設定される。
【００２１】
化粧仕上材(16)は、その表面側を化粧面とした板状部材であり、粘弾性体(20)を介して木質繊維板(14)に取り付けられている。化粧仕上材(16)としては、例えば木質フローリングが好適に用いられる。
【００２２】
なお、弾性接着剤(20a)の硬化物である粘弾性体(20)と、化粧仕上材(16)とは弾性接着されており、釘や接着剤による固定は必要に応じて行えばよい。
【００２３】
次に、床構造(10)の施工方法について説明する。まず、所定間隔を隔てて平行に配置されている床下地(18)の上に床下地材(12)を配置し、床下地材(12)の上から釘を打ちつけて両部材(18)(12)を固定する。なお、本実施例では、床下地材(12)として厚さ１２ｍｍの合板が使用され、釘が床下地(18)の長手方向に３００〜４５０ｍｍの間隔で打ち付けられる。
【００２４】
そして、床下地材(12)の表面に木質繊維板(14)（本実施例では、厚さ９ｍｍのインシュレーションボードが使用される）を配置し、木質繊維板(14)の上から釘を打ち付けて床下地材(12)と木質繊維板(14)とを固定する（勿論、接着剤を併用して両部材(12)(14)を固定してもよいし、接着剤単独で両部材(12)(14)を固定するようにしてもよい。）。
【００２５】
次に、木質繊維板(14)の上面に、弾性接着剤(20a)を床下地(18)に沿って線状に塗布し（勿論、点状に塗布するようにしてもよい）、その形状が保持できる程度にまで硬化させる。
【００２６】
弾性接着剤(20a)が硬化して粘弾性体(20)が形成されたことを確認すると、木質繊維板(14)の上面に粘弾性体(20)を介して化粧仕上材(16)（本実施例では、木質フローリングが使用される）を設置し、これにより床構造(10)が完成する。
【００２７】
以上のようにして形成された床構造(10)の上に、食器などの軽量物が落下すると、落下時の衝撃音（軽量床衝撃音）が化粧仕上材(16)にて発生し、木質繊維板(14)、床下地材(12)を介して階下へと伝搬しようとする。しかしながら、化粧仕上材(16)と木質繊維板(14)との間には、粘弾性体(20)が介在しており、この粘弾性体(20)が該軽量床衝撃音を吸収できるので、階下への衝撃音の伝搬が軽減されることになる。
【００２８】
また、木質繊維板(14)と化粧仕上材(16)との間に形成された空気層(22)の存在により、軽量物の落下時には、化粧仕上材(16)が若干撓み、これにより衝撃音の発生が軽減される。さらに、化粧仕上材(16)が撓むことにより、歩行時のクッション性を高めることができる。
【００２９】
なお、上述の実施例では、木質繊維板(14)の上面側に粘弾性体(20)を設けるようにしているが、木質繊維板(14)の下面側に粘弾性体(20)を設けるようにしてもよいし、木質繊維板(14)の上下両面に粘弾性体(20)を設けるようにしてもよい(図３参照)。
【実施例１】
【００３０】
発明者は、本発明にかかる床構造(10)の防音性およびクッション性の効果について試験を行い、その実用性を検証した。以下には、その試験方法および試験結果について説明する。
［防音性およびクッション性についての試験］
（試料）
床下地材(12)としてダイライト、木質繊維板(14)としてインシュレーションボード、化粧仕上材(16)として木質フローリング、粘弾性体(20)として酢酸ビニル系接着剤を準備した。
【００３１】
そして、床下地(18)の上面に床下地材(12)を固定し、床下地材(12)の上に木質繊維板(14)を固定した。
【００３２】
次に、木質繊維板(14)の上面に弾性接着剤(20a)を床下地(18)に沿って線状に塗布し、弾性接着剤(20a)が硬化するのを確認してから化粧仕上材(16)を設置することにより試料（床構造(10)）を得た。なお、試料の大きさは、約１．６５ｍ2である。
（比較試料１）
床下地材(12)の上に、木質繊維板(14)を介さず化粧仕上材(16)を設置することにより比較試料１を得た。なお、床下地材(12)と化粧仕上材(16)とは、接着剤により固着されている。なお、比較試料１の大きさは、約１．６５ｍ2である。
（比較試料２）
床下地材(12)の上に、木質繊維板(14)を介して化粧仕上材(16)を設置することにより比較試料２を得た。なお、木質繊維板(14)の上面には、その全面に亘って弾性接着剤(20a)が塗着されており、弾性接着剤(20a)が硬化する前に化粧仕上材(16)が貼着されている。したがって、木質繊維板(14)と化粧仕上材(16)との間に空気層(22)は存在しない。なお、比較試料１の大きさは、約１．６５ｍ2である。
（防音性試験およびクッション性試験の方法）
（１）  防音性試験は、ＪＩＳＡ１４１８「建築物の現場における床衝撃音レベルの測定方法」に準じて行った。２階建ての木造実験棟の２階部分に床構造(10)を施工し、化粧仕上材(16)の上面側に軽量床衝撃音発生装置（タッピングマシン）［リオン社製］を配置し、軽量床衝撃音を発生させた。そして、１階側の床構造(10)直下にて騒音計［リオン社製］を設置し、床構造(10)を伝搬する音圧（ｄＢ）を測定した。その結果は、［表１］および［図４］の通りである。なお、［図４］は［表１］をグラフ化したものである。
（２）  試料および比較試料２の上に試験者が乗って軽く上下し、クッション性の有無について３段階で評価した。その結果は、［表２］の通りである。
（防音性試験およびクッション性試験の結果）
【００３３】
【表１】
2006035556.tif 000003
【００３４】
【表２】
2006035556.tif 000004
【００３５】
［表１］および［図４］からも分かるように、試料と比較試料１および比較試料２とを比較すると、試料では、比較試料１および比較試料２と比較して５００［Ｈｚ］以上、特に、１０００［Ｈｚ］以上の高音域において音圧レベルが飛躍的に低下していることが分かる。このことから、本発明の床構造では、軽量床衝撃音の中高音域における防音効果が特に高いことが分かった。
【００３６】
また、［表２］からも分かるように、試料と比較試料２とを比較すると、試料ではクッション性が感じられることがわかった。
【図面の簡単な説明】
【００３７】
【図１】本発明の床構造を示す斜視図である（一部省略）。
【図２】図１における断面図である。
【図３】本発明にかかる床構造の他の実施例を示す側面図である。
【図４】表１をグラフ化したものである。
【図５】従来技術を示す部分断面斜視図である。
【符号の説明】
【００３８】
１０  床構造
１２  床下地材
１４  木質繊維板
１６  化粧仕上材
２０  粘弾性体
２０ａ  弾性接着剤
２２  空気層
【図１】
2006035556.tif 000005
【図２】
2006035556.tif 000006
【図３】
2006035556.tif 000007
【図４】
2006035556.tif 000008
【図５】
2006035556.tif 000009